【事件の表示】
　商願２０１７−　８０９０３拒絶査定不服審判事件について、次のとおり審決する。
【結　論】
　原査定を取り消す。
　本願商標は、登録すべきものとする。
【理　由】
１　本願商標
　本願商標は、別掲１のとおり上段に「ＷＡＯ」の文字を太く大きく表し、下段に「ＫＯＩＳＨＩＫＡＷＡ」の文字を小さく表してなり、第４１類に属する願書記載のとおりの役務を指定役務とし、平成２８年９月２８日に登録出願された商願２０１６−１０４９２４に係る商標法第１０条第１項の規定による商標登録出願として、同２９年６月１９日に登録出願されたものである。
　そして、その指定役務については、当審における同３０年２月２８日付け手続補正書をもって、第４１類「技芸・スポーツ又は知識の教授，セミナーの企画・運営又は開催，興行の企画・運営又は開催（映画・演芸・演劇・音楽の演奏の興行及びスポーツ・競馬・競輪・競艇・小型自動車競走の興行に関するものを除く。），映画・演芸・演劇・音楽又は教育研修のための施設の提供」と補正されたものである。
２　原査定の拒絶の理由
　原査定において、本願商標が商標法第４条第１項第１１号に該当するとして、本願商標の拒絶の理由に引用した登録商標は、以下のとおりであり、いずれも現に有効に存続しているものである。
（１）登録第４３１５０３３号商標（以下「引用商標１」という。）
　商標の態様：別掲２のとおり
　登録出願日：平成９年８月２９日
　設定登録日：平成１１年９月１０日
　更新登録日：平成２１年９月１日
　指定役務　：第４１類に属する商標登録原簿に記載の役務
（２）登録第４８４８１６９号商標（以下「引用商標２」という。）
　商標の態様：ＷＡＯ！資格カレッジ
　登録出願日：平成１６年７月２２日
　設定登録日：平成１７年３月１８日
　更新登録日：平成２７年２月３日
　指定役務：第４１類に属する商標登録原簿に記載の役務
（３）登録第号４８４８１７０号商標（以下「引用商標３」という。）
　商標の態様：ＷＡＯ！クリエイティブカレッジ
　登録出願日：平成１６年７月２２日
　設定登録日：平成１７年３月１８日
　更新登録日：平成２７年２月３日
　指定役務：第４１類に属する商標登録原簿に記載の役務
（４）登録第４８４８１７１号商標（以下「引用商標４」という。）
　商標の態様：ＷＡＯ！高等学院
　登録出願日：平成１６年７月２２日
　設定登録日：平成１７年３月１８日
　更新登録日：平成２７年２月３日　
　指定役務：第４１類に属する商標登録原簿に記載の役務
（５）登録第号５７１４５９８号商標（以下「引用商標５」という。）
　商標の態様：別掲３のとおり
　登録出願日：平成２６年６月６日
　設定登録日：平成２６年１０月３１日
　指定役務：第３５類、第３８類及び第４１類に属する商標登録原簿に記載の役務
　
３　当審の判断
（１）本願商標と引用商標１について
　本願商標の指定役務は、上記１のとおり補正された結果、引用商標１の指定役務と同一又は類似の役務はすべて削除され、引用商標１の指定役務と類似しない役務となった。
　したがって、本願商標は引用商標１との関係において、商標法第４条第１項第１１号に該当するとした原査定の拒絶の理由は、解消した。
（２）本願商標と引用商標２ないし５について
　ア　本願商標について
　本願商標は、別掲１のとおり、上段に「ＷＡＯ」の文字を太く大きく書し、下段には「ＫＯＩＳＨＩＫＡＷＡ」の文字を小さく表してなるところ、上段の「ＷＡＯ」の文字は、辞書等に掲載の無い語であり、下段の「ＫＯＩＳＨＩＫＡＷＡ」は、「小石川（底に小石の多くある川。又は、東京都文京区の一地区。）」（「広辞苑第六版」株式会社岩波書店）を想起させる語であるものの、構成文字全体としては、特定の意味合いを想起させることのない一種の造語として認識されるものというのが相当である。
　また、本願商標は、上段に太く大きく表された「ＷＡＯ」の文字部分が、これに接する取引者、需要者に対し役務の出所識別標識として強く支配的な印象を与えるものであるから、当該文字部分に着目し、これをもって取引にあたる場合も少なくないものというのが相当である。
　してみれば、本願商標は、全体の構成文字に相応して生じる「ワオコイシカワ」の称呼のほかに、要部として認識される「ＷＡＯ」の文字部分に相応して、「ワオ」の称呼をも生じ、特定の観念を生じないものである。
　イ　引用商標２について
　引用商標２は、「ＷＡＯ！資格カレッジ」の文字からなるところ、構成中の「ＷＡＯ」の文字は、辞書等に掲載の無い語であって、「！」は、感嘆を表す符号（「広辞苑第六版」株式会社岩波書店）であり、「カレッジ」の語は、「単科大学」を意味する語（「コンサイスカタカナ語辞典　第２版」株式会社三省堂）であるとしても、その構成文字全体としては、特定の意味合いを想起させることのない一種の造語として認識されるものというのが相当である。
　そして、引用商標２の構成は、いずれも同じ書体、同じ大きさで等間隔に、まとまりよく一体に表されており、また、「ＷＡＯ！」の文字部分が取引者、需要者に対し、役務の出所識別標識として、強く支配的な印象を与えるものと認めるに足る事情も見いだせないことから、これに接する取引者、需要者は、構成中「ＷＡＯ！」の文字部分のみに着目するということはなく、その構成文字全体をもって一体不可分の商標として認識、把握するとみるのが相当である。
　そうすると、引用商標２は、全体の構成文字に相応して、「ワオシカクカレッジ」の称呼を生じ、特定の観念を生じないものである。
　ウ　引用商標３について
　引用商標３は、「ＷＡＯ！クリエイティブカレッジ」の文字からなるところ、構成中の「ＷＡＯ」の文字は、辞書等に掲載の無い語であって、「！」は、感嘆を表す符号であり、「クリエイティブ」及び「カレッジ」の語は、それぞれ「創造的」、「単科大学」（いずれも、「コンサイスカタカナ語辞典　第２版」株式会社三省堂）を意味する語であるとしても、その構成文字全体としては、特定の意味合いを想起させることのない一種の造語として認識されるものというのが相当である。
　そして、引用商標３の構成は、いずれも同じ書体、同じ大きさで等間隔に、まとまりよく一体に表されており、また、「ＷＡＯ！」の文字部分が取引者、需要者に対し、役務の出所識別標識として、強く支配的な印象を与えるものと認めるに足る事情も見いだせないことから、これに接する取引者、需要者は、構成中「ＷＡＯ！」の文字部分のみに着目するということはなく、その構成文字全体をもって一体不可分の商標として認識、把握するとみるのが相当である。
　そうすると、引用商標３は、全体の構成文字に相応して、「ワオクリエイティブカレッジ」の称呼を生じ、特定の観念を生じないものである。
　エ　引用商標４について
　引用商標４は、「ＷＡＯ！高等学院」の文字からなるところ、構成中の「ＷＡＯ」の文字は、辞書等に掲載の無い語であって、「！」は、感嘆を表す符号であり、「高等学院」の文字は、高等学校等の名称に使用される文字であるとしても、その構成文字全体としては、特定の意味合いを想起させることのない一種の造語として認識されるものというのが相当である。
　そして、引用商標４の構成は、いずれも同じ書体、同じ大きさで等間隔に、まとまりよく一体に表されており、また、「ＷＡＯ！」の文字部分が取引者、需要者に対し、役務の出所識別標識として、強く支配的な印象を与えるものと認めるに足る事情も見いだせないことから、これに接する取引者、需要者は、構成中「ＷＡＯ！」の文字部分のみに着目するということはなく、その構成文字全体をもって一体不可分の商標として認識、把握するとみるのが相当である。
　そうすると、引用商標４は、全体の構成文字に相応して、「ワオコウトウガクイン」の称呼を生じ、特定の観念を生じないものである。
　オ　引用商標５について
　引用商標５は、「ＷＡＯ！Ｃｏｌｌｅｇｅ」の語を、「！」の符号以外の文字を黒字で、「！」の符号をオレンジ色で横一連に表してなるところ、構成中の「ＷＡＯ」の文字は、辞書等に掲載の無い語であって、「！」は、感嘆を表す符号であり、「Ｃｏｌｌｅｇｅ」の文字は、「単科大学」を意味する英語（「ジーニアス英和辞典　第５版」株式会社大修館書店）であるとしても、その構成文字全体としては、特定の意味合いを想起させることのない一種の造語として認識されるものというのが相当である。
　そして、引用商標５の構成は、「！」の記号をオレンジ色で表してなるものの、その構成文字はいずれも同じ書体、同じ大きさで等間隔に、まとまりよく一体に表されており、また、「ＷＡＯ！」の文字部分が取引者、需要者に対し、役務の出所識別標識として、強く支配的な印象を与えるものと認めるに足る事情も見いだせないことから、これに接する取引者、需要者は、構成中「ＷＡＯ！」の文字部分のみに着目するということはなく、その構成文字全体をもって一体不可分の商標として認識、把握するとみるのが相当である。
　そうすると、引用商標５は、全体の構成文字に相応して、「ワオカレッジ」の称呼を生じ、特定の観念を生じないものである。
　カ　本願商標と引用商標２ないし５との類否について
　本願商標と引用商標２ないし引用商標５の類否について検討するに、本願商標と引用商標２ないし引用商標５とは、上記アないしオのとおりの構成からなるところ、それぞれの構成文字及び態様において、明らかな差異を有するものであるから、本願商標と引用商標２ないし引用商標５とは、外観上、明確に区別できるものである。
　次に、称呼においては、本願商標から生じる「ワオコイシカワ」及び「ワオ」の称呼と、引用商標２ないし引用商標５より生ずる各称呼とは、その音構成及び音数において明らかな差異を有するものであるから、称呼上、明瞭に聴別されるものである。
　さらに、観念においては、いずれの商標も特定の観念を生じないものであるから、観念において比較することはできない。
　そうすると、本願商標と引用商標２ないし引用商標５とは、観念において比較できないとしても、外観及び称呼において明らかに異なるものであるから、これらを総合して判断すれば、両者は、互いに相紛れるおそれのない非類似の商標というのが相当である。
（３）まとめ
　以上のとおり、本願の指定役務は、補正により引用商標１に係る指定役務とは非類似の役務となり、また、本願商標と引用商標２ないし引用商標５とは非類似の商標であるから、本願商標が商標法第４条第１項第１１号に該当するとして本願を拒絶した原査定は、取消しを免れない。
　その他、本願について拒絶の理由を発見しない。
　よって、結論のとおり審決する。